(57)【要約】【課題】緊急時に避難方向を的確に知らせることができる車両用照明システムを提供する。【解決手段】実施形態に係る車両用照明システムは、複数の照明器具と、異常検知部と、制御部とを備える。複数の照明器具は、車両毎に設けられている。異常検知部は、車両の異常を検知する。制御部は、異常検知部により車両の異常が検知されると、異常のあった車両の前方又は後方の車両の複数の照明器具に対して、退避方向を示すように制御する。【選択図】図１
2017154544.tif 000002
【特許請求の範囲】
【請求項１】
車両毎に設けられた複数の照明器具と；
前記車両の異常を検知する異常検知部と；
前記異常検知部により前記車両の異常が検知されると、前記異常のあった車両の前方又は後方の車両の前記複数の照明器具に対して、退避方向を示すように制御する制御部と；
を備えることを特徴とする車両用照明システム。
【請求項２】
前記制御部は、前記異常のあった車両の前方の車両に対して、前記異常のあった車両から遠ざかる第１の方向に前記前方の車両の前記複数の照明器具を順次点滅させ、前記異常のあった車両の後方の車両に対して、前記異常のあった車両から遠ざかる第２の方向に前記後方の車両の前記複数の照明器具を順次点滅させるように制御することを特徴とする請求項１に記載の車両用照明システム。
【請求項３】
前記制御部は、前記異常のあった車両の前記複数の照明器具を点滅させるように制御することを特徴とする請求項１または２に記載の車両用照明システム。
【請求項４】
前記制御部は、前記異常のあった車両に近い車両と、前記異常のあった車両から遠い車両とで異なる照明制御を行うことを特徴とする請求項１から３のいずれか１つに記載の車両用照明システム。
【請求項５】
前記制御部は、前記異常のあった車両に近い車両について、前記複数の照明器具を順次点滅させる際のスピードを速くなるように制御し、前記異常のあった車両から遠い車両について、前記複数の照明器具を順次点滅させる際のスピードを遅くなるように制御することを特徴とする請求項４に記載の車両用照明システム。
【発明の詳細な説明】
【技術分野】
【０００１】
本発明の実施形態は、車両用照明システムに関する。
【背景技術】
【０００２】
従来より、鉄道車両には、車内を照明する等の目的で蛍光灯あるいはＬＥＤ等の照明装置が設置され、これらの照明装置を点灯、消灯、あるいは、照度等を制御する車両用照明システムが設置されている。
【０００３】
このような鉄道車両用の照明システムでは、例えば車内に照度センサを設け、照度センサからの照度情報に応じて、車内の照度を制御する車両用照明システムが提案されている。
【０００４】
ところで、鉄道車両内で例えば火災等の緊急事態が発生した場合、火災を発見した乗客が乗務員に連絡し、乗務員が車内放送等を用いて避難方向等の避難指示を出していた。
【０００５】
しかしながら、緊急時においては、避難指示を聞いたとしても、乗客自身が何両目の車両に乗車しているか分からなくなり、どの方向に避難すればよいのか分からなくなることが考えられる。
【先行技術文献】
【特許文献】
【０００６】
【特許文献１】特開２０１２−８６８１３号公報
【発明の概要】
【発明が解決しようとする課題】
【０００７】
本実施形態は、緊急時に避難方向を的確に知らせることができる車両用照明システムを提供することを目的とする。
【課題を解決するための手段】
【０００８】
実施形態に係る車両用照明システムは、複数の照明器具と、異常検知部と、制御部とを備える。複数の照明器具は、車両毎に設けられている。異常検知部は、車両の異常を検知する。制御部は、異常検知部により車両の異常が検知されると、異常のあった車両の前方又は後方の車両の複数の照明器具に対して、退避方向を示すように制御する。
【発明の効果】
【０００９】
実施形態によれば、緊急時に避難方向を的確に知らせることができる車両用照明システムを提供することができる。
【図面の簡単な説明】
【００１０】
【図１】一実施形態に係る車両用照明システムが設置された鉄道車両の模式図である。
【図２】各車両のメモリに格納される情報の一例を説明するための図である。
【図３】緊急時の照明器具の照明制御の流れの一例を示すフローチャートである。
【図４】緊急時の照明器具の照明制御について説明するための図である。
【発明を実施するための形態】
【００１１】
実施形態の車両用照明システムは、車両毎に設けられた複数の照明器具と；前記車両の異常を検知する異常検知部と；前記異常検知部により前記車両の異常が検知されると、前記異常のあった車両の前方又は後方の車両の前記複数の照明器具に対して、退避方向を示すように制御する制御部と；を備える。
【００１２】
また、実施形態の車両用照明システムは、前記制御部は、前記異常のあった車両の前方の車両に対して、前記異常のあった車両から遠ざかる第１の方向に前記前方の車両の前記複数の照明器具を順次点滅させ、前記異常のあった車両の後方の車両に対して、前記異常のあった車両から遠ざかる第２の方向に前記後方の車両の前記複数の照明器具を順次点滅させるように制御する。
【００１３】
また、実施形態の車両用照明システムは、前記制御部は、前記異常のあった車両の前記複数の照明器具を点滅させるように制御する。
【００１４】
また、実施形態の車両用照明システムは、前記制御部は、前記異常のあった車両に近い車両と、前記異常のあった車両から遠い車両とで異なる照明制御を行う。
【００１５】
また、実施形態の車両用照明システムは、前記制御部は、前記異常のあった車両に近い車両について、前記複数の照明器具を順次点滅させる際のスピードを速くなるように制御し、前記異常のあった車両から遠い車両について、前記複数の照明器具を順次点滅させる際のスピードを遅くなるように制御する。
【００１６】
以下、図面を参照して本発明の実施形態について詳細に説明する。
【００１７】
まず、図１に基づき、一実施形態に係る車両用照明システムの構成について説明する。図１は、一実施形態に係る車両用照明システムが設置された鉄道車両の模式図である。
【００１８】
本実施形態の車両用照明システム１は、複数の車両１０１−１〜１０１−９が連結された鉄道車両１００に設置されている。なお、鉄道車両１００は、例えば、特急電車、新幹線、リニアモーターカー等の指定席券を購入する鉄道車両であるが、他の鉄道車両であってもよい。
【００１９】
複数の車両１０１−１〜１０１−９のうち１つの車両１０１−９には、車掌が乗務する車掌室１０１−９ａが設けられている。なお、車掌室１０１−９ａは、例えば、鉄道車両１００の進行方向に対して最後尾の車両に設けられているが、例えば、新幹線等では１６両編成と車両数が多いため、１６両編成の中間の車両に設けられていることもある。また、鉄道車両１００には、図示を省略しているが、運転士が乗務する運転室も設けられている。
【００２０】
車両１０１−１は、車両別照明制御部１１−１と、メモリ１２−１と、複数の照明器具１３−１ａ〜１３−１ｎと、２つの煙センサ１４−１ａ及び１４−１ｂと、非常連絡ボタン１５−１とを備えている。他の車両１０１−２〜１０１−９も同様の構成である。例えば、車両１０１−９は、車両別照明制御部１１−９と、メモリ１２−９と、複数の照明器具１３−９ａ〜１３−９ｎと、２つの煙センサ１４−９ａ及び１４−９ｂと、非常連絡ボタン１５−９とを備えている。
【００２１】
また、車掌室１０１−９ａは、制御装置２１と、照明制御装置２２と、異常監視装置２３と、表示装置２４とを備えている。
【００２２】
各車両１０１−１〜１０１−９の車両別照明制御部１１−１〜１１−９は、信号伝送ライン１６を介して照明制御装置２２に接続されている。また、各車両１０１−１〜１０１−９の煙センサ１４−１ａ、１４−１ｂ、非常連絡ボタン１５−１〜煙センサ１４−９ａ、１４−９ｂ、非常連絡ボタン１５−９は、信号伝送ライン１７を介して異常監視装置２３に接続されている。
【００２３】
制御装置２１は、中央処理装置（以下、ＣＰＵという）２１ａと、ＲＯＭ２１ｂ、ＲＡＭ２１ｃとを有して構成されている。制御装置２１では、ＣＰＵ２１ａがＲＯＭ２１ｂに記憶された照明制御プログラムを読み出して、ＲＡＭ２１ｃ上に展開して、実行することにより、各照明器具１３−１ａ〜１３−９ｎの照明を制御するための指示を照明制御装置２２に送信し、車両用照明システム１の各機能を実現する。
【００２４】
また、制御装置２１は、異常監視装置２３から緊急事態が発生した車両の情報を受信した場合、緊急時の照明制御を行うための指示を照明制御装置２２に送信する。具体的には、制御装置２１は、異常監視装置２３から緊急事態が発生した車両の情報を受信した場合、緊急事態が発生した車両を起点にして、遠ざける退避方向に照明器具を順次点滅させる指示を照明制御装置２２に送信する。また、制御装置２１は、異常監視装置２３から緊急事態が発生した車両の情報を受信した場合、緊急事態が発生した車両の照明器具を点滅させる指示を照明制御装置２２に送信する。
【００２５】
照明制御装置２２は、制御装置２１の指示に基づき、信号伝送ライン１６を介して各車両１０１−１〜１０１−９の車両用照明制御部１１−１〜１１−９に制御信号を送信し、各照明器具１３−１ａ〜１３−９ｎの照明を制御する。
【００２６】
異常監視装置２３は、煙センサ１４−１ａ〜１４−９ｂからの検知結果を受信し、各車両１０１−１〜１０１−９に火災等の緊急事態が発生していないかを検出する。異常監視装置２３は、緊急事態が発生したことを検出した場合、緊急事態が発生した車両の情報を制御装置２１に送信する。
【００２７】
制御装置２１は、異常監視装置２３から緊急事態が発生した車両の情報を受信すると、上述したように、緊急時の照明制御を行うための指示を照明制御装置２２に送信する。
【００２８】
表示装置２４は、制御装置２１からの制御に応じて、例えば、緊急事態が発生した車両の情報等の各種情報を表示する。
【００２９】
車両１０１−１の車両別照明制御部１１−１は、照明制御装置２２からの制御信号に基づき、複数の照明器具１３−１ａ〜１３−１ｎの点灯・消灯・点滅等の制御を行う。このとき、車両別照明制御部１１−１は、各照明器具１３−１ａ〜１３−１ｎの累積点灯時間及び故障の有無等の情報をメモリ１２−１に格納する。なお、メモリ１２−１に格納される累積点灯時間及び故障の有無等の情報については、後述する図２で説明する。
【００３０】
複数の照明器具は、鉄道車両１００の長手方向に連続して設置されている。複数の照明器具は、車両別照明制御部１１−１の制御に応じて、点灯・消灯・点滅等を行う。複数の照明器具１３−１ａ〜１３−１ｎは、点灯、消灯の応答性が良いＬＥＤ（Light Emitting Diode）である。なお、複数の照明器具１３−１ａ〜１３−１ｎは、ＬＥＤに限定されることなく、点灯、消灯の応答性が良く、外表面のパネルがガラスなどの耐火性素材で形成された場合には火災になりにくいＯＬＥＤ（Organic Light Emitting Diode）であってもよいし、ＬＥＤ及びＯＬＥＤを組み合わせてもよい。また、複数の照明器具１３−１ａ〜１３−１ｎは、ＬＥＤ、ＯＬＥＤに限定されることなく、他の照明器具であってもよい。
【００３１】
煙センサ１４−１ａ及び１４−１ｂは、車両１０１−１で発生した火災等からの煙を検知し、検知結果を信号伝送ライン１７を介して異常監視装置２３に送信する。なお、本実施形態では、１つの車両１０１−１に２つの煙センサ１４−１ａ及び１４−１ｂが設けられているが、１つの車両１０１−１に１つ、あるいは、３つ以上の煙センサが設けられていてもよい。
【００３２】
非常連絡ボタン１５−１は、乗客が非常連絡ボタン１５−１を押下することで、車掌室１０１−９ａに乗務している車掌と通話することができるボタンである。車掌は、乗客と通話して、例えば、暴力行為を行う乗客がいる等、乗客の避難が必要と判断した場合、制御装置２１に接続されている図示しない指示入力装置を用いて、上述した非常時の照明制御を行うように、制御装置２１に対して指示を出す。一方、車掌は、乗客と通話して、例えば、急病人が発生した等、乗客の避難が必要ないと判断した場合、その状況に応じた処置を行う。なお、本実施形態では、１つの車両１０１−１に１つの非常連絡ボタン１５−１が設けられているが、１つの車両１０１−１に２つ以上の非常連絡ボタンが設けられていてもよい。
【００３３】
図２は、各車両のメモリに格納される情報の一例を説明するための図である。
【００３４】
照明器具１３−１ａ〜１３−９ｎにはアドレスが付与される。アドレスの付与は、車両毎にグループ分けし、個別に付与する。例えば、車両１０１−１の照明器具１３−１ａ〜１３−１ｎには、それぞれアドレス１−１〜１−１４が付与され、車両１０１−２の照明器具１３−２ａ〜１３−２ｎには、それぞれアドレス２−１〜２−１４が付与される。なお、アドレスの付与は、全ての照明器具１３−１ａ〜１３−９ｎに個別に付与してもよいし、車両単位で１つのアドレスを付与するようにしてもよい。
【００３５】
メモリ１２−１には、アドレスに累積点灯時間及び故障の情報が対応付けられて格納される。故障の情報は、不点灯等の故障が発生した場合、対応した照明器具のアドレスに「１」が格納され、故障が発生していない場合、対応した照明器具のアドレスに「０」が格納される。
【００３６】
個別照明制御部１１−１は、累積点灯時間が所定の時間以上となった場合、その照明器具の情報を制御装置２１に出力する。また、個別照明制御装置１１−１は、ある照明器具に故障が発生した場合、その照明器具の情報を制御装置２１に出力する。制御装置２１は、累積点灯時間が所定の時間以上となった照明器具の情報、あるいは、故障が発生した照明器具の情報を表示装置２４に出力する。
【００３７】
車掌等の乗務員は、表示装置２４を確認することで、メンテナンスの計画を予め立てることが可能となる。乗務員は、メンテナンス計画に基づいて、照明器具が不点灯となる前に、照明器具の交換を行うことができる。
【００３８】
また、車掌等の乗務員は、不点灯等の異常が発生している照明器具の特定、あるいは、どの車両の照明器具で異常が発生しているかを特定可能となる。乗務員は、この情報に基づいて、特定した照明器具の交換を行う。このとき、１つの照明器具のみを交換すると、明るさのムラ等が発生するため、累積点灯時間が所定の時間以上となった照明器具が１つでもあった場合、その車両の照明器具を全て交換するのがよい。
【００３９】
次に、このように構成された車両用照明システムの緊急時の照明器具の照明制御について説明する。
【００４０】
図３は、緊急時の照明器具の照明制御の流れの一例を示すフローチャートであり、図４は、緊急時の照明器具の照明制御について説明するための図である。なお、図３の緊急時の照明器具の照明制御は、制御装置２１のＣＰＵ２１ａによって実行される。
【００４１】
まず、ＣＰＵ２１ａは、異常監視装置２３から検知結果に基づいて、異常が発生した車両を特定する（Ｓ１）。次に、ＣＰＵ２１ａは、特定した車両の照明器具を点滅させる指示を照明制御装置２２に出す（Ｓ２）。
【００４２】
例えば、異常が発生した車両が図４に示す車両１０１−５の場合、ＣＰＵ２１ａは、車両１０１−５の照明器具１３−５ａ〜１３−５ｎを点滅させるための指示を照明制御装置２２に出す。照明制御装置２２は、ＣＰＵ２１ａからの指示に応じて、車両１０１−５の車両別照明制御部１１−５に照明器具１３−５ａ〜１３−５ｎを点滅させるための制御信号を送信する。車両別照明制御部１１−５は、照明制御装置２２からの制御信号に応じて、照明器具１３−５ａ〜１３−５ｎを点滅させる。
【００４３】
次に、ＣＰＵ２１ａは、特定した車両の前方の車両の照明器具に対して、第１の方向で順次点滅させる指示を照明制御装置２２に出す（Ｓ３）。ここでは、図４の車両１０１−１の方向が前方、車両１０１−９の方向が後方とする。すなわち、ＣＰＵ２１ａは、特定した車両１０１−５の前方の車両１０１−１〜１０１−４の照明器具１３ａ−１ａ〜１３−４ｎに対して、第１の方向で順次点滅させる指示を照明制御装置２２に出す。
【００４４】
ここで、第１の方向は、車両１０１−５から遠ざかる前方である。すなわち、ＣＰＵ２１ａは、車両１０１−４の照明器具１３−４ａ〜１３−４ｎに対して、照明器具１３−４ｎ、４ｍ、・・・、４ｂ、４ａの順で順次点滅させる指示を照明制御装置２２に出す。ＣＰＵ２１ａは、車両１０１−１〜１０１−３に対しても同様の方向で順次点滅させるための指示を照明制御装置２２に出す。
【００４５】
照明制御装置２２は、ＣＰＵ２１ａからの指示に応じて、車両１０１−４の車両別照明制御部１１−４に照明器具１３−４ｎ、４ｍ、・・・、４ｂ、４ａの順で順次点滅させるための制御信号を送信する。車両別照明制御部１１−４は、照明制御装置２２からの制御信号に応じて、照明器具１３−４ａ〜１３−４ｎに対して、照明器具１３−４ｎ、４ｍ、・・・、４ｂ、４ａの順で順次点滅させる。車両１０１−１〜１０１−３も照明制御装置２２からの制御信号に応じて、同様の照明制御を行う。
【００４６】
最後に、ＣＰＵ２１ａは、特定した車両の後方の車両の照明器具に対して、第２の方向で順次点滅させる指示を照明制御装置２２に出し（Ｓ４）、処理を終了する。すなわち、ＣＰＵ２１ａは、特定した車両１０１−５の後方の車両１０１−６〜１０１−９の照明器具１３ａ−６ａ〜１３−９ｎに対して、第２の方向で順次点滅させる指示を照明制御装置２２に出す。
【００４７】
ここで、第２の方向は、車両１０１−５から遠ざかる後方である。すなわち、ＣＰＵ２１ａは、車両１０１−６の照明器具１３−６ａ〜１３−６ｎに対して、照明器具１３−６ａ、６ｂ、・・・、６ｍ、６ｎの方向で順次点滅させる指示を照明制御装置２２に出す。ＣＰＵ２１ａは、車両１０１−７〜１０１−９に対しても同様の方向で順次点滅させるための指示を照明制御装置２２に出す。
【００４８】
照明制御装置２２は、ＣＰＵ２１ａからの指示に応じて、車両１０１−６の車両別照明制御部１１−６に照明器具１３−６ａ、６ｂ、・・・、６ｍ、６ｎの順で順次点滅させるための制御信号を送信する。車両別照明制御部１１−６は、照明制御装置２２からの制御信号に応じて、照明器具１３−６ａ〜１３−６ｎに対して、照明器具１３−６ａ、６ｂ、・・・、６ｍ、６ｎの順で順次点滅させる。車両１０１−７〜１０１−９も照明制御装置２２からの制御信号に応じて、同様の照明制御を行う。
【００４９】
以上のように、車両用照明システム１は、火災等の緊急事態が発生した場合、緊急事態が発生した車両の前方の車両に対しては、その車両から遠ざける第１の方向に照明器具を順次点滅させ、後方の車両に対しては、その車両から遠ざける第２の方向に照明器具を順次点滅させるようにした。この結果、乗客は、視覚的にいずれの方向に避難すればよいのかを容易に認識することができる。
【００５０】
よって、本実施形態の車両用照明システムによれば、緊急時に避難方向を的確に知らせることができる。
【００５１】
なお、本実施形態では、車両１０１−５で火災等の緊急事態が発生した場合、前方の車両１０１−１〜１０１−４の照明器具１３−１ａ〜１３−４ｎで同じ照明制御を行い、後方の車両１０１−６〜１０１−９の照明器具１３−６ａ〜１３−９ｎで同じ照明制御を行っているが、これに限定されることはない。すなわち、緊急事態が発生した車両１０５−１に近い車両１０４−１の照明器具１３−４ａ〜１３−４ｎと、車両１０５−１から遠い車両１０１−１の照明器具１３−１ａ〜１３−１ｎとで異なる照明制御を行ってもよい。また、緊急事態が発生した車両１０５−１に近い車両１０６−１の照明器具１３−６ａ〜１３−６ｎと、車両１０５−１から遠い車両１０１−９の照明器具１３−９ａ〜１３−９ｎとで異なる照明制御を行ってもよい。
【００５２】
例えば、ＣＰＵ２１ａは、緊急事態が発生した車両１０５−１に近い車両１０４−１については、照明器具１３−４ｎ、１３−４ｍ、・・・、１３−４ｂ、１３−４ａの順で順次点滅させ、乗客に避難方向を示すようにする。一方、ＣＰＵ２１ａは、緊急事態が発生した車両１０５−１から遠い車両１０１−１については、照明器具１３−１ａ〜１３−１ｎを点灯させたままとし、乗客に避難方向を示さないようにしてもよい。
【００５３】
また、ＣＰＵ２１ａは、緊急事態が発生した車両１０５−１に近い車両１０４−１については、照明器具１３−４ｎ、１３−４ｍ、・・・、１３−４ｂ、１３−４ａの順で順次点滅させるスピードを速くする。一方、ＣＰＵ２１ａは、緊急事態が発生した車両１０５−１から遠い車両１０１−１については、照明器具１３−１ｎ、１３−１ｍ、・・・、１３−１ｂ、１３−１ａの順で順次点滅させるスピードを遅くしてもよい。
【００５４】
さらに、ＣＰＵ２１ａは、ＣＰＵ２１ａは、緊急事態が発生した車両１０５−１に近い車両１０４−１については、照明器具１３−４ａ〜１３−４ｎの明るさを大きくし、緊急事態が発生した車両１０５−１から遠い車両１０１−１については、照明器具１３−１ａ〜１３−１ｎの明るさを小さくしてもよい。
【００５５】
さらにまた、ＣＰＵ２１ａは、夜間等で照度が不足している場合、照明器具は点灯させたままで、図示しない側補助灯を避難方向に順次点滅させるように制御してもよい。
【００５６】
なお、明細書におけるフローチャート中の各ステップは、その性質に反しない限り、実行順序を変更し、複数同時に実行し、あるいは実行毎に異なった順序で実行してもよい。
【００５７】
本発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【００５８】
１…車両用照明システム、１１−１〜１１−９…車両別照明制御部、１２−１〜１２−９…メモリ、１３−１ａ〜１３−９ｎ…照明器具、１４−１ａ〜１４−９ｂ…煙センサ、１５−１〜１５−９…非常連絡ボタン、２１…制御装置、２１ａ…ＣＰＵ、２１ｂ…ＲＯＭ、２１ｃ…ＲＡＭ、２２…照明制御装置、２３…異常監視装置、２４…表示装置。
【図１】
2017154544.tif 000003
【図２】
2017154544.tif 000004
【図３】
2017154544.tif 000005
【図４】
2017154544.tif 000006